(57)【要約】【課題】指導者側と受講者側があたかも個別対面的な指導がなされているかのように、受講者の成績状況とアクセス時期を考慮した最適な教材・講座情報を受講者に提供できるようにすること。【解決手段】複数の受験学習教材・受験学習講座情報を提供し、この提供される受験学習教材・受験学習講座情報を格納管理し、この格納管理される受験学習教材・受験学習講座情報を閲覧すべくアクセスし、このアクセスにより上記受験学習教材・受験学習講座情報を出力表示し、この出力表示される上記受験学習教材・受験学習講座情報の中から所望の受験学習教材・受験学習講座情報を選択し、この選択された受験学習教材・受験学習講座情報に対する解答情報を入力し、この入力される解答情報に関する正答率情報及び閲覧アクセス時期情報を管理し、この管理された正答率情報及び閲覧アクセス時期情報を参照して最適な受験学習教材・受験学習講座情報を提供するよう構成する。【選択図】  図１
2013011823.tif 000002
【特許請求の範囲】
【請求項１】
複数の受験学習教材・受験学習講座情報を提供する提供手段と、
この提供手段から提供される受験学習教材・受験学習講座情報を格納管理する格納管理手段と、
この格納管理手段にアクセスし上記受験学習教材・受験学習講座情報を閲覧すべく出力表示する出力表示手段と、
この出力表示手段にて出力表示される上記受験学習教材・受験学習講座情報の中から所望の受験学習教材・受験学習講座情報を選択する選択手段と、
この選択手段にて選択された受験学習教材・受験学習講座情報に対する解答情報を入力する解答情報入力手段と、
この解答情報入力手段からの解答情報に関する正答率情報及び上記出力表示手段の閲覧アクセス時期情報を管理する管理手段と、
この管理手段からの正答率情報及び閲覧アクセス時期情報を参照して上記出力表示手段に対して上記格納管理手段の中から最適な受験学習教材・受験学習講座情報を選出し当該情報を上記出力表示手段に送出可能とする最適受験情報提供手段とを具備したことを特徴とする受験学習ネットワークシステム。
【請求項２】
上記最適受験情報提供手段に参照され、正答率情報及び閲覧アクセス時期情報をパラメータとして最適な受験学習教材・受験学習講座情報が対応付けられた基準テーブル手段を設けたことを特徴とする請求項１記載の受験学習ネットワークシステム。
【請求項３】
上記提供手段は、上記最適受験情報提供手段が選出する最適な受験学習教材・受験学習講座情報の基準を任意に設定変更可能とする機能を有することを特徴とする請求項１記載または請求項２記載の受験学習ネットワークシステム。
【請求項４】
上記提供手段は、上記格納管理手段に格納管理される受験学習教材・受験学習講座情報を任意に登録、変更、削除可能とする機能を有することを特徴とする請求項１乃至請求項３記載の受験学習ネットワークシステム。
【請求項５】
複数の受験学習教材・受験学習講座情報を提供し、
この提供される受験学習教材・受験学習講座情報を格納管理し、
この格納管理される受験学習教材・受験学習講座情報を閲覧すべくアクセスし、
このアクセスにより上記受験学習教材・受験学習講座情報を出力表示し、
この出力表示される上記受験学習教材・受験学習講座情報の中から所望の受験学習教材・受験学習講座情報を選択し、
この選択された受験学習教材・受験学習講座情報に対する解答情報を入力し、
この入力された解答情報に関する正答率情報及び閲覧アクセス時期情報を管理し、
この管理された正答率情報及び閲覧アクセス時期情報を参照して最適な受験学習教材・受験学習講座情報を提供するようにしたことを特徴とする受験学習教材・受験学習講座情報提供方法。
【請求項６】
上記最適な受験学習教材・受験学習講座情報の基準を任意に設定変更可能としたことを特徴とする請求項５記載の受験学習教材・受験学習講座情報提供方法。
【請求項７】
提供される上記受験学習教材・受験学習講座情報は、所定の条件下で任意に登録、変更、削除可能としたことを特徴とする請求項５及び請求項６記載の受験学習教材・受験学習講座情報提供方法。
【発明の詳細な説明】
【技術分野】
【０００１】
本発明は、弁理士試験や行政書士試験等の資格試験や大学・高校等の入学試験のための受験学習をコンピュータネットワークシステムを利用して行う受験学習ネットワークシステム及び受験学習教材・受験学習講座情報提供方法、特に受験学習教材・受験学習講座情報を提供する側（指導者側）と当該情報を利用する側（受講者側）とがあたかも対面的に学習指導を行っている様相を呈する受験学習ネットワークシステム及び受験学習教材・受験学習講座情報提供方法に関する。
【背景技術】
【０００２】
従来、ネットワークを介して行われる資格試験や大学入試等に関する各種受験学習シテスムが提案されている。これらのシステムは、例えば単数の指導者側と複数の受講者側がネットワーク回線を介して、特定の時間に特定の講義を定められた環境下で行われるものであった。また、受講者側の成績状況や時間は考慮されず、指導者側からの一方的な情報発信であり、画一的な単調な講義に陥る虞もあった。
ところで、受験学習には、あらたな知識等を習得することにより、学習能力を高めていくインプットタイプの学習と、過去の問題を解き込むことにより、学習能力を高め成果を上げていくアウトプットタイプの学習がある。この点を考慮すると、従来の学習システムは、特にアウトプットタイプの学習には不向きなものと考えられる。
【０００３】
特開２０１１−９５７５２号公報（下記特許文献１）には、無線通信ネットワークに於ける電子ブック機能を有する端末を用いて個人学習をサポートするシステムが提案されている。このシステムは、個人別の学習結果を分析し、その結果を個人別にフィードバックするというものである。
【０００４】
また特開２０１１−１８０１０号公報（下記特許文献２）には、サーバと端末とがインターネット網や専用回線網を介して接続し、個別に試験成績を向上させるための受験学習システムが提案されている。このシステムでは、個別に満点がとれるまでの指導が行われるものである。
【先行技術文献】
【特許文献】
【０００５】
【特許文献１】特開２０１１−９５７５２号公報
【特許文献２】特開２０１１−１８０１０号公報
【発明の開示】
【発明が解決しようとする課題】
【０００６】
上記特許文献１及び特許文献２にあっては、個別に適した教材や講座をタイムリーに紹介、提供する、という概念は全く開示されてない。
【０００７】
本発明は、上記事情を考慮してなされたもので、上述した不具合を解消し、指導者側と受講者側があたかも個別対面的な指導を行っているかのように、受講者の成績状況とアクセス時期（即ち、受験日を基準とした学習猶予期間、或いは残存学習期間）を考慮した最適な受験用学習教材情報や受験用学習講座情報を当該受講者に提供できるようにした受験学習ネットワークシステム及び受験学習教材・受験学習講座情報提供方法を提供することを目的とする。
【課題を解決するための手段】
【０００８】
本発明は、上記目的を達成するために以下の通りの構成とすることを特徴とする。
【０００９】
（１）複数の受験学習教材・受験学習講座情報を提供する提供手段と、この提供手段から提供される受験学習教材・受験学習講座情報を格納管理する格納管理手段と、この格納管理手段にアクセスし上記受験学習教材・受験学習講座情報を閲覧すべく出力表示する出力表示手段と、この出力表示手段にて出力表示される上記受験学習教材・受験学習講座情報の中から所望の受験学習教材・受験学習講座情報を選択する選択手段と、この選択手段にて選択された受験学習教材・受験学習講座情報に対する解答情報を入力する解答情報入力手段と、この解答情報入力手段からの解答情報に関する正答率情報及び上記出力表示手段の閲覧アクセス時期情報を管理する管理手段と、この管理手段からの正答率情報及び閲覧アクセス時期情報を参照して上記出力表示手段に対して上記格納管理手段の中から最適な受験学習教材・受験学習講座情報を選出し当該情報を上記出力表示手段に送出可能とする最適受験情報提供手段とを具備したことを特徴とする構成とした。
【００１０】
（２）上記構成にあって、上記最適受験情報提供手段に参照され、正答率情報と閲覧アクセス時期情報をパラメータとして最適な受験学習教材・受験学習講座情報が対応付けられた基準テーブル手段を設けたことを特徴とする構成とした。
【００１１】
（３）上記構成にあって、上記提供手段は、上記最適受験情報提供手段が選出する最適な受験学習教材・受験学習講座情報の基準を任意に設定変更可能とする機能を有することを特徴とする構成とした。
【００１２】
（４）上記構成にあって、上記提供手段は、上記格納管理手段に格納管理される受験学習教材・受験学習講座情報を任意に設定登録、変更、削除可能とする機能を有することを特徴とする構成とした。
【発明の効果】
【００１３】
本発明によれば、教材や講座を提供する側と受講者側があたかも一対一の個別対面的な指導がなされているかのように、当該受講者の成績状況（正答率情報）とアクセス時期（即ち、受験日を基準とした学習猶予期間、或いは残存学習期間）をパラメータとして、提供する側は受講者側に対して状況に応じた最適な受験用学習教材情報や受験用学習講座情報を提供することができるという優れた効果を奏する。
【００１４】
より具体的には、時と場所を選ばすに受講者側の都合に合わせて、正答率情報及び閲覧アクセス時期情報を参照して最適な受験学習教材・受験学習講座情報を紹介、提供できるものである。
また、最適な受験学習教材・受験学習講座情報は基準テーブルに基づくもので客観性が担保されているので、ぶれのない最適な情報を、紹介、提供できるという優れた効果を奏する。しかも、基準テーブルは変更可能となるよう構成してあるので、受験情勢を考慮した最新情報を反映することができる。
【図面の簡単な説明】
【００１５】
【図１】本発明の一実施形態に係わる受験学習ネットワークシステムを概念的に示す図である。
【図２】同実施形態に係わり、基準テーブルの内容を概念的に示す図である。
【図３】同実施形態に係わり、提供端末側から受験学習教材・受験学習講座情報を登録設定する処理の流れを示す図である。
【図４】同実施形態に係わり、受講端末側に於ける受験学習教材・受験学習講座情報に関する解答情報を入力する処理の流れを示す図である。
【図５】同実施形態に係わり、受講端末側に対して最適な受験学習教材・受験学習講座情報を提供する処理の流れを示す図である。
【図６】同実施形態に係わり、基準テーブルの内容変更の処理の流れを示す図である。
【図７】同実施形態に係わり、受験学習教材・受験学習講座の新規購入の処理の流れを示す図である。
【発明を実施するための形態】
【００１６】
以下本発明の一実施形態につき、図面を参照して説明する。
【００１７】
本実施形態に係わる受験学習ネットワークシステムは、図１に示すように、サーバコンピュータ１００と、このサーバコンピュータ１００とインターネット回線等のネットワーク２００を介して接続される提供端末３００、受講端末４００及び決済機構部５００とから構成される。
【００１８】
サーバコンピュータ１００は、システム全体の制御処理を司るＣＰＵ１１０と、このＣＰＵ１１０と信号線１２０を介して接続する格納管理部１３０、管理部１４０及び最適受験情報提供部１５０とからなる。
而して格納管理部１３０は、ＣＰＵ１１０に参照されシステム全体の制御処理や各種プログラム情報を格納するプログラム情報格納領域１３１、各種作業が行われる作業領域（ワークエリア）１３２、提供端末３００から送出されてくる受験学習教材情報や受験学習講座情報を管理格納する受験学習教材・受験学習講座情報格納管理領域１３３、提供端末３００からの指示情報に基づき任意に設定登録及び変更・削除可能な基準テーブル情報格納管理領域１３４、並びに提供端末３００に関する認証情報等が格納管理される提供者情報格納管理領域１３５を内設するものである。
管理部１４０は、受講端末４００に関する認証情報等が格納管理される受講者情報格納管理領域１４２、所望の受験学習教材や受験学習講座に対する受講端末４００の解答状況である正答率情報を格納管理する正答率情報格納管理領域１４４、及び受講端末４００による閲覧アクセス等の情報を格納管理する閲覧アクセス情報格納管理領域１４６を内設するものである。
最適受験情報提供部１５０は、管理部１４０の正答率情報格納管理領域１４４及び閲覧アクセス情報格納管理領域１４６を参照して、格納管理部１３０の基準テーブル情報格納管理領域１３４から最適な受験学習教材・受験学習講座情報を抽出する機能を有するものである。そして、最適受験情報提供部１５０は、この抽出した最適な受験学習教材・受験学習講座情報を受講端末４００に送出可能とする機能を有するものである。
【００１９】
提供端末３００は、所望の受験学習教材情報や受験学習講座情報を格納管理部１３０の受験学習教材・受験学習講座情報格納管理領域１３３に対してアクセスし任意に設定登録・変更・削除可能とする機能を有するものである。また、提供端末３００は、正答率情報と閲覧アクセス時期をパラメータとして考慮した最適受験学習教材情報及び最適受験学習講座情報を格納管理部１３０の基準テーブル情報格納管理領域１３４に対してアクセスし任意に設定登録・変更・削除可能とする機能を有する。ここで、閲覧アクセス時期は、受講端末４００の閲覧アクセス情報をもとに算出されるものであり、受験日・試験日を基準にして、閲覧アクセスが行われた日が基準日の何日前であるか（学習猶予期間、残存学習期間）を意味するものである。なお、ある提供端末３００は、他の提供端末３００がアクセスできる受験学習教材・受験学習講座情報格納管理領域１３３及び基準テーブル情報格納管理領域１３４にはアクセスできないよう構成されている。
【００２０】
受講端末４００は、出力表示部４１０、選択部４２０及び解答情報入力部４３０を内設するものである。出力表示部４１０は、サーバコンピュータ１００にアクセスし、ＣＰＵ１１０に格納管理部１３０の受験学習教材・受験学習講座情報格納管理領域１３３を参照させて、当該受講端末４００が閲覧可能な受験学習教材・受験学習講座情報を出力表示させる機能を有するものである。選択部４２０は、出力表示部４１０に出力表示される受験学習教材・受験学習講座情報の中から所望の受験学習教材・受験学習講座情報を選択し、当該選択情報をサーバコンピュータ１００に送出する機能を有するものである。解答情報入力部４３０は、選択部４２０にて選択された受験学習教材・受験学習講座情報に関する解答情報を入力する機能を有するものである。なお、ある受講端末４００は、他の受講端末４００がアクセスできる受験学習教材・受験学習講座情報にはアクセスできないよう構成されている。
【００２１】
決済機構部５００は、インターネット回線上でのクレジット決済システム機能を有するものである。即ち、提供端末３００が提供する受験学習情報情報や受験学習講座情報を受講端末４００にてクレジット購入するに際し、クレジット決済に関する手続を代行する機能を有するものである。
【００２２】
次に、図２を参照して、基準テーブル情報格納管理領域１３４の基準テーブルの概念を説明する。
基準テーブルは、提供者毎、即ち提供端末３００毎に管理されており、提供端末３００が提供する受験学習教材・受験学習講座情報毎に正答率と閲覧アクセス時期をパラメータとしたマトリックスからなる。而して、各マトリックスには、当該マトリックスに於いて最適な受験学習教材情報や最適な受験学習講座情報が設定登録・変更・削除可能に格納されている。
【００２３】
上記構成につき、その作用を図３乃至図７を参照して以下に説明する。
【００２４】
先ず、受験学習教材・受験学習講座情報の登録処理の流れについて、図３を参照して説明する。あらたに受験学習教材や受験学習講座の情報を提供者（指導者）がサーバコンピュータ１００に登録する場合、提供端末３００にてサーバコンピュータ１００にアクセスすることになる。提供端末３００がネットワーク２００を介してサーバコンピュータ１００にアクセスすると、認証処理が行われる。即ち、サーバコンピュータ１００から提供端末３００に対してパスワードの入力要求がなされるので、提供端末３００では自身のパスワードをサーバコンピュータ１００に送出することになる。すると、サーバコンピュータ１００ではＣＰＵ１１０が提供者情報格納管理領域１３５を参照して認証処理が行われる（ステップＳ３０２、ステップＳ３０４）。認証処理に成功すると（ステップＳ３０４のＹ）、提供者情報格納管理領域１３５の提供者情報に基づいて該当するテーブルが抽出される（ステップＳ３０６）。この後、サーバコンピュータ１００は、提供端末３００に対して、登録する受験学習教材や受験学習講座の情報を入力するようリクエストするので、提供端末３００から所望の受験学習教材や受験学習講座の情報を入力する（ステップＳ３０８）。この入力情報は、格納管理部１３０のワークエリア１３２に送出されることになる。入力が終了すると、サーバコンピュータ１００が提供端末３００に対して、登録確定の処理を実行するか否かの判断を要求してくる（ステップＳ３１０）。ここで、提供端末３００から登録を確定させる指示の応答情報をサーバコンピュータ１００に送出すると（ステップＳ３１０のＹ）、ワークエリア１３２に格納されている受験学習教材や受験学習講座に関する情報は受験学習教材・受験学習講座情報格納管理領域１３３に移されて登録確定となり（ステップＳ３１２）、処理は終了する。
ステップＳ３１０にて登録確定しない場合（ステップＳ３１０のＮ）、サーバコンピュータ１００は、当該処理そのものを取止めるのか否かの回答を提供端末３００に要求してくる（ステップＳ３１４）。当該処理を取止める場合は（ステップＳ３１４のＹ）、そのまま処理は終了する。当該処理を取止めない場合は（ステップＳ３１４のＮ）、ステップＳ３０８の処理に移行するものである。なお、ステップＳ３０４の認証処理にてパスワードが一致しなかった場合（ステップＳ３０４のＮ）、エラー処理（ステップＳ３１６）となり処理は終了する。
【００２５】
次に、受講者が選択して受講している受験学習教材や受験学習講座に関する受講状況である解答入力の処理の流れについて、図４を参照して説明する。
受講者は受講端末４００からサーバコンピュータ１００にアクセスすると、認証処理が行われることになる。即ち、受講端末４００がサーバコンピュータ１００にアクセスしてくると、サーバコンピュータ１００はパスワードの入力要求を受講端末４００にリクエストする（ステップＳ４０２）。受講端末４００から自身のパスワードをサーバコンピュータ１００に送出すると、ＣＰＵ１１０は受講者情報格納管理領域１４２を参照して認証処理が行われる（ステップＳ４０２、ステップＳ４０４）。認証処理に成功すると（ステップＳ４０４のＹ）、受講者情報格納管理領域１４２の受講者情報に基づいて当該受講者が受講・選択している受験学習教材・受験学習講座が出力表示部４１０に一覧表示されるので（ステップＳ４０６）、選択部４２０にて所望の教材または講座を選択すると、該当する受験学習教材若しくは受験学習講座の問題集が出力表示部４１０に出力表示される（ステップＳ４０８）。この出力表示された問題に関し、受講端末４００の解答情報入力部４３０から解答情報を入力することになる（ステップＳ４１０）。解答情報の入力が終了すると（ステップＳ４１２）、サーバコンピュータ１００は当該解答情報の正誤チェックを行って正答率を算出し、選択解答した受験学習教材若しくは受験学習講座に関する正答率情報を解答日情報とともに正答率情報格納管理領域１４４に格納して終了する（ステップＳ４１４）。
ステップＳ４１２にて終了しない場合（ステップＳ４１２のＮ）、サーバコンピュータ１００は、当該処理そのものを取止めるのか或いは継続するのかの回答を受講端末４００に要求してくる（ステップＳ４１６）。当該処理を取止める場合は（ステップＳ４１６のＹ）、そのまま処理は終了する。当該処理を取止めない場合は（ステップＳ４１６のＮ）、ステップＳ４１０の処理に移行するものである。なお、ステップＳ４０４の認証処理にてパスワードが一致しなかった場合（ステップＳ４０４のＮ）、エラー処理（ステップＳ４１８）となり処理は終了する。
【００２６】
続いて、受講者の閲覧アクセス時期と正答率をパラメータとして、試験日を基準にした最適受験学習教材や最適受験学習講座を受講者に提供する処理の流れ、即ち、お勧め受験学習情報提供の処理の流れについて、図５を参照して説明する。
受講端末４００からサーバコンピュータ１００にアクセスがあると、認証処理が行われる。即ち、受講端末４００がサーバコンピュータ１００にアクセスしてくると、サーバコンピュータ１００はパスワードの入力要求を受講端末４００にリクエストする（ステップＳ５０２）。受講端末４００から自身のパスワードをサーバコンピュータ１００に送出すると、ＣＰＵ１１０は受講者情報格納管理領域１４２を参照して認証処理が行われる（ステップＳ５０２、ステップＳ５０４）。認証処理に成功すると（ステップＳ５０４のＹ）、受講者情報格納管理領域１４２の受講者情報に基づいて当該受講者が受講・選択している受験学習教材・受験学習講座が出力表示部４１０に一覧表示されるので、所望の受験学習教材若しくは受験学習講座を選択部４２０にて選択指定し（ステップＳ５０６）、学習結果の表示指示をサーバコンピュータ１００に対して行う（ステップＳ５０８）。すると、最適受験情報提供部１５０が起動されて管理部１４０の正答率情報格納管理領域１４４の正答率情報及び閲覧アクセス情報格納管理領域１４６の閲覧アクセス時期情報を参照し（ステップＳ５１０、ステップＳ５１２）、格納管理部１３０の基準テーブル情報格納管理領域１３４の基準テーブルにアクセスし（ステップＳ５１４）、前述した正答率情報と閲覧アクセス時期情報をパラメータとして、最適な受験学習教材・受験学習講座情報を最適受験情報として抽出することになる（ステップＳ５１６）。抽出された最適受験情報は、受講端末４００に送出されて出力表示部４１０に表示出力されることになる（ステップＳ５１８）。
【００２７】
以下に基準テーブルを変更（削除も含む。）する処理の流れについて、図６を参照して説明する。
提供端末３００からサーバコンピュータ１００にアクセスがあると、認証処理が行われる。即ち、提供端末３００がサーバコンピュータ１００にアクセスしてくると、サーバコンピュータ１００はパスワードの入力要求を提供端末３００にリクエストする（ステップＳ６０２）。提供端末３００から自身のパスワードをサーバコンピュータ１００に送出すると、ＣＰＵ１１０は提供者情報格納管理領域１３５を参照して認証処理が行われる（ステップＳ６０２、ステップＳ６０４）。認証処理に成功すると（ステップＳ６０４のＹ）、提供者情報格納管理領域１３５の提供者情報に基づいて当該提供者が提供している受験学習教材・受験学習講座の情報が提供端末３００に一覧表示されるので、変更する受験学習教材若しくは受験学習講座を提供端末３００にて選択指定する（ステップＳ６０６）。すると、選択指定された受験学習教材若しくは受験学習講座に関する情報が提供端末３００に出力表示されるので、変更する情報である基準テーブルを選択抽出する（ステップＳ６０８）。而して選択された基準テーブルが提供端末３００に出力表示されるので、提供者はテーブル全体或いは一部について提供端末３００の変更機能を用いて前述パラメータや最適受験学習教材情報や最適受験学習講座情報の変更を行うことになる（ステップＳ６１０）。そして、変更処理が完了して変更後のテーブル内容を基準テーブル情報格納管理領域１３４に登録する場合、変更の確定操作を提供端末３００にて行う（ステップＳ６１２のＹ）。確定操作がなされると、変更された上記基準テーブルは基準テーブル情報格納管理領域１３４に登録される（ステップＳ６１４）。
変更を登録させない場合は（ステップＳ６１２のＮ）、ステップＳ６１６に処理は移行する。ステップＳ６１６にて基準テーブルの変更を取止めるのであれば（ステップＳ６１６のＹ）、テーブル変更の処理は終了する。基準テーブルの変更処理を継続するのであれば（ステップＳ６１６のＮ）、ステップＳ６１０の処理に移行することになる。
なお、ステップＳ６０４の認証処理にてパスワードが一致しなかった場合（ステップＳ６０４のＮ）、エラー処理（ステップＳ６１８）となり処理は終了する。
【００２８】
最後に、あらたに受験学習教材や受験学習講座を選択、即ち購入する処理の流れについて、図７を参照して説明する。
受講端末４００がサーバコンピュータ１００にアクセスし、認証処理が行われてアクセス許可となり（ステップＳ７０２、ステップＳ７０４のＹ）、新規受験学習教材や受験学習講座を受講する旨の指示があると（ステップＳ７０６）、ＣＰＵ１１０は受験学習教材・受験学習講座情報格納管理領域１３３に格納されている全ての受験学習教材情報及び受験学習講座情報を参照して当該教材名及び講座名と概要情報を受講端末４００に送出することになる。送出された情報は、受講端末４００の出力表示部４１０に一覧表示される（ステップＳ７０８）。而して、受講端末４００にて所望の名称を選択部４２０にて選択すると（ステップＳ７１０）、サーバコンピュータ１００はネットワーク２００を介して決済機構部５００に対してクレジット決済の代行手続をさせることになる（ステップＳ７１２）。即ち、決済機構部５００は、受講端末４００に対して選択した（購入・受講を希望する）受験学習教材情報或いは受験学習講座情報に関し、クレジット決済の手続を行う（ステップＳ７１２）。受講端末４００に関するクレジット決済が所定の条件を満たしていれば（ステップＳ７１４のＹ）、決済完了となり、当該受験学習教材情報或いは受験学習講座情報を選択購入されたことが、管理部１４０の受講者情報格納管理領域１４２にも記憶登録される（ステップＳ７１６）。
なお、ステップＳ７１４の処理にて、クレジット決済が不能であった場合（ステップＳ７１４のＮ）、エラー処理となって（ステップＳ７１８）、終了する。また、ステップＳ７０４の認証処理にてパスワードが一致しなかった場合（ステップＳ７０４のＮ）、エラー処理（ステップＳ７２０）となり処理は終了する。
【００２９】
上述実施形態によれば、受講端末４００側の受講者は、受講者自身が積み重ねた成績（正答率）及び試験日当日を基準として現時点（閲覧時点）で必要とされる最適な教材や講座に関する情報を知ることができるので、あたかも指導者（提供端末３００側）が受講者に対して一対一の個別対面的な学習指導をしているかのように、受講者にとって現時点で何が必要とされているか、というきめの細かいタイムリーで最適な受験情報を知ることができるものである。しかも当該受験情報は、基準テーブルに基づくもので客観性が担保されているので、ぶれのない最適な情報を、時と場所を選ばず受講者の都合の良いときに知ることができるという優れた効果を奏する。
提供端末３００側の提供者にとっては、基準テーブルは変更可能となるよう構成してあるので、受験情勢を考慮した最新情報を反映することができ、受講者側に最適な受験用教材や受験用講座をタイムリー且つ効率的に紹介できるものである。
なお、上述実施形態にあっては、受講端末４００の出力表示部４１０に出力表示される最適受験情報は、当該受講端末４００が受講している教材名及び講座名並びに正答率、学習進捗度合いの情報も同時に出力表示されるよう構成されている。さらに、各教材や講座は、例えば年度別や科目別、分野別に並び替えて表示することも可能となるよう構成されている。また、受講端末４００が複数の提供端末３００から受験学習教材や受験学習講座を受講している場合、当該受講端末４００の出力表示部４１０には、提供端末３００側の提供者名とともに上記情報が一緒に一覧表示されるよう構成されている。
【符号の説明】
【００３０】
１００    サーバコンピュータ
１３０    格納管理部
１３３    受験学習教材・受験学習講座情報格納管理領域
１３４    基準テーブル情報格納管理領域
１４０    管理部
１４４    正答率情報格納管理領域
１４６    閲覧アクセス情報格納管理領域
１５０    最適受験情報提供部
２００    ネットワーク
３００    提供端末
４００    受講端末
４１０    出力表示部
４２０    選択部
４３０    解答情報入力部
【図１】
2013011823.tif 000003
【図２】
2013011823.tif 000004
【図３】
2013011823.tif 000005
【図４】
2013011823.tif 000006
【図５】
2013011823.tif 000007
【図６】
2013011823.tif 000008
【図７】
2013011823.tif 000009